(57)【要約】【課題】信頼性の高い不審者情報を地域で共有可能とする。【解決手段】各住戸に設置されている複数の撮像装置（ドアホン子器１）で撮像され不審者候補が写っている人物画像を管理装置（センタサーバ３）で収集して不審者を登録している。従って、撮像装置（ドアホン子器１）並びに住戸端末（親機２）が設置されている住戸を含む地域で不審者情報を共用することができる。しかも、複数の人物画像に写っている不審者候補が同一人物であるか否かを判定するとともに同一人物と判定された不審者候補を写した複数の人物画像が所定の条件を満足する場合に当該不審者候補を不審者として管理装置（センタサーバ３）において登録するので、不審者情報の信頼性を高めることができる。【選択図】図１
2007172083.tif 000002
【特許請求の範囲】
【請求項１】
所定の範囲内に存在する複数の住戸にそれぞれ設置され、少なくとも住戸の玄関を含む範囲を撮像する撮像装置並びに撮像装置で撮像した画像を表示する住戸端末と、複数の撮像装置で撮像された画像をネットワークを介して収集し管理する管理装置とで構成され、
前記住戸端末は、撮像装置で撮像した人物画像を記憶する記憶手段と、記憶手段に記憶した人物画像を表示する表示手段と、表示手段に表示した人物画像を不審者候補に投票する操作を受け付ける不審者候補投票受付手段と、不審者候補投票受付手段で投票の操作を受け付けた人物画像に関する情報をネットワークを介して管理装置に送信するデータ送信手段とを備え、
前記管理装置は、ネットワークを介して伝送される人物画像を受信するデータ受信手段と、データ受信手段で受信した人物画像を記憶する記憶手段と、記憶手段に記憶した複数の人物画像のうちで不審者候補に投票された人物同士を対比して同一人物か否かを判定する判定手段と、判定手段により同一人物と判定された不審者候補を写した複数の人物画像が所定の条件を満足する場合に当該不審者候補を不審者として登録する登録手段とを備えたことを特徴とする防犯システム。
【請求項２】
前記判定手段は、顔認識アルゴリズムを利用した画像処理によって同一人物か否かを判定することを特徴とする請求項１記載の防犯システム。
【請求項３】
前記登録手段は、投票された全ての不審者候補を不審者として登録するとともに登録済みの不審者を写した人物画像が複数存在する場合に当該複数の人物画像の中から選択された一の人物画像を残して残りの人物画像を記憶手段から削除することを特徴とする請求項１又は２記載の防犯システム。
【請求項４】
前記登録手段は、撮像された時間が特定の時間帯であるという前記条件を満足する場合に当該不審者候補を不審者として登録することを特徴とする請求項１記載の防犯システム。
【請求項５】
前記登録手段は、撮像されたときに当該住戸が留守であったという前記条件を満足する場合に当該不審者候補を不審者として登録することを特徴とする請求項１記載の防犯システム。
【請求項６】
前記管理装置は、データ受信手段で受信した人物画像に写っている不審者候補を前記登録手段によって登録された不審者と照合するとともに両者が一致したときに当該不審者候補が既に登録済みの不審者であることを当該人物画像の送信元である住戸端末に通知する通知手段を備えたことを特徴とする請求項１〜５の何れかに記載の防犯システム。
【請求項７】
前記住戸端末は、前記通知手段に対して人物画像に写っている不審者候補が既に登録済みの不審者と一致するか否かの通知を要求する要求手段を備えたことを特徴とする請求項６記載の防犯システム。
【発明の詳細な説明】
【技術分野】
【０００１】
本発明は、不審者に関する情報を地域で共有可能とする防犯システムに関するものである。
【背景技術】
【０００２】
従来、玄関に設置されるドアホン子器と宅内に設置される１乃至複数の住戸機との間で通話可能なインターホンシステムにおいて、火災センサやガス漏れセンサ、不審者の侵入を検知する検知センサなどの防災・防犯センサと住戸機とを接続し、センサの検出結果を住戸機で集中監視するとともに、インターネットを通じて住戸機から外部のサーバ（管理装置）へ検出結果を報知するようにしたものが提案されている（例えば、特許文献１参照）。また、かかる従来システムでは、ドアホン子器に来訪者を撮像するカメラが設けられ、当該カメラあるいは防犯カメラで撮像した画像（通常は動画）が住戸機のモニタに表示され、必要に応じて記録（録画）されるようになっている。
【特許文献１】特開２００４−１３５１９８号公報
【発明の開示】
【発明が解決しようとする課題】
【０００３】
ところで、ドアホン子器のカメラや防犯カメラで撮像された画像（人物画像）に写っている人物が不審者であった場合でも当該不審者の情報はその住戸に留まっており、上述のような従来システムでは、当該住戸が含まれる地域内（例えば、同じ町内や学区内など）で不審者の情報を共用することはできなかった。また、地域内で不審者の情報を共用する場合においては、不審者とされた人物のプライバシー保護のために誤った情報が流布することを防ぐ必要がある。
【０００４】
本発明は上記事情に鑑みて為されたものであり、その目的は、信頼性の高い不審者情報を地域で共有することができる防犯システムを提供することにある。
【課題を解決するための手段】
【０００５】
請求項１の発明は、上記目的を達成するために、所定の範囲内に存在する複数の住戸にそれぞれ設置され、少なくとも住戸の玄関を含む範囲を撮像する撮像装置並びに撮像装置で撮像した画像を表示する住戸端末と、複数の撮像装置で撮像された画像をネットワークを介して収集し管理する管理装置とで構成され、前記住戸端末は、撮像装置で撮像した人物画像を記憶する記憶手段と、記憶手段に記憶した人物画像を表示する表示手段と、表示手段に表示した人物画像を不審者候補に投票する操作を受け付ける不審者候補投票受付手段と、不審者候補投票受付手段で投票の操作を受け付けた人物画像に関する情報をネットワークを介して管理装置に送信するデータ送信手段とを備え、前記管理装置は、ネットワークを介して伝送される人物画像を受信するデータ受信手段と、データ受信手段で受信した人物画像を記憶する記憶手段と、記憶手段に記憶した複数の人物画像のうちで不審者候補に投票された人物同士を対比して同一人物か否かを判定する判定手段と、判定手段により同一人物と判定された不審者候補を写した複数の人物画像が所定の条件を満足する場合に当該不審者候補を不審者として登録する登録手段とを備えたことを特徴とする。
【０００６】
請求項２の発明は、請求項１の発明において、前記判定手段は、顔認識アルゴリズムを利用した画像処理によって同一人物か否かを判定することを特徴とする。
【０００７】
請求項３の発明は、請求項１又は２の発明において、前記登録手段は、投票された全ての不審者候補を不審者として登録するとともに登録済みの不審者を写した人物画像が複数存在する場合に当該複数の人物画像の中から選択された一の人物画像を残して残りの人物画像を記憶手段から削除することを特徴とする。
【０００８】
請求項４の発明は、請求項１の発明において、前記登録手段は、撮像された時間が特定の時間帯であるという前記条件を満足する場合に当該不審者候補を不審者として登録することを特徴とする。
【０００９】
請求項５の発明は、請求項１の発明において、前記登録手段は、撮像されたときに当該住戸が留守であったという前記条件を満足する場合に当該不審者候補を不審者として登録することを特徴とする。
【００１０】
請求項６の発明は、請求項１〜５の何れかの発明において、前記管理装置は、データ受信手段で受信した人物画像に写っている不審者候補を前記登録手段によって登録された不審者と照合するとともに両者が一致したときに当該不審者候補が既に登録済みの不審者であることを当該人物画像の送信元である住戸端末に通知する通知手段を備えたことを特徴とする。
【００１１】
請求項７の発明は、請求項６の発明において、前記住戸端末は、前記通知手段に対して人物画像に写っている不審者候補が既に登録済みの不審者と一致するか否かの通知を要求する要求手段を備えたことを特徴とする。
【発明の効果】
【００１２】
請求項１の発明によれば、各住戸に設置されている複数の撮像装置で撮像され不審者候補が写っている人物画像を管理装置で収集して不審者を登録しているので、撮像装置並びに住戸端末が設置されている住戸を含む地域で不審者情報を共用することができ、しかも、複数の人物画像に写っている不審者候補が同一人物であるか否かを判定するとともに同一人物と判定された不審者候補を写した複数の人物画像が所定の条件を満足する場合に当該不審者候補を不審者として管理装置において登録するので、不審者情報の信頼性を高めることができる。
【００１３】
請求項２の発明によれば、不審者情報の信頼性をさらに高めることができる。
【００１４】
請求項３の発明によれば、不審者候補に投票された人物を全て重複無く不審者として登録できる。
【００１５】
請求項４の発明によれば、不審者情報の信頼性をさらに高めることができる。
【００１６】
請求項５の発明によれば、不審者情報の信頼性をさらに高めることができる。
【００１７】
請求項６の発明によれば、不審者情報を管理装置から住戸端末に通知することで利便性及び安全性が向上する。
【００１８】
請求項７の発明によれば、住戸端末からの要求に応じて不審者情報を管理装置から住戸端末に通知することで利便性及び安全性がさらに向上する。
【発明を実施するための最良の形態】
【００１９】
以下、図面を参照して本発明の実施形態を詳細に説明する。
【００２０】
本実施形態の防犯システムは、図１に示すように少なくとも住戸の玄関を含む範囲を撮像する撮像装置としてのドアホン子器１と、住戸内に設置されてドアホン子器１との間で通話可能であり且つドアホン子器１で撮像された画像が表示可能である住戸端末としてのインターホン親機（以下、親機と略す。）２と、複数の親機２とそれぞれネットワーク（インターネット）を介して通信可能である管理装置としてのセンタサーバ３とで構成されている。但し、ドアホン子器１並びに親機２が設置される複数の住戸は、同じ町内や同じ学区内といった所定の範囲（地域）内に存在している。
【００２１】
ドアホン子器１は、マイクロホン並びにスピーカを用いて音声の入出力が可能である通話部１０と、ＣＣＤカメラなどで構成され、来訪者が呼出釦（図示せず）を押操作したときに起動して来訪者を撮像する撮像部１１と、信号線Ｌ１を介して親機２の信号送受信部２０との間で音声（音声信号）並びに画像（映像信号）を送受信する信号送受信部１２とを備えている。なお、図示は省略しているが、ドアホン子器１には呼出釦が設けられ、この呼出釦が操作されたときに信号線Ｌ１を介して呼出信号が送信される。
【００２２】
親機２は、ドアホン子器１の信号送受信部１２との間で信号線Ｌ１を介して音声並びに画像を送受信する信号送受信部２０と、ハンドセット若しくはマイクロホンとスピーカを用いて音声の入出力が可能である通話部２１と、ＬＣＤを有し信号送受信部２０で受信する映像信号によりドアホン子器１の撮像部１１で撮像された画像を表示する画像表示部２２と、不揮発性メモリからなり信号送受信部２０で受信する映像信号を記録（録画）するメモリ部２３と、公衆電話回線や光ファイバケーブルなどを介してインターネットに接続されインターネットを介したデータ通信を行うデータ通信部２４と、ＣＰＵを主構成要素とする演算処理部２５と、種々の操作釦（図示せず）を有し該操作釦が操作されたときに演算処理部２５に対して操作信号を出力する操作部２６とを備えている。
【００２３】
親機２においては、ドアホン子器１から信号線Ｌ１を介して呼出信号を受信すると演算処理部２５が画像表示部２２を起動し、信号線Ｌ１を介してドアホン子器１から送信される映像信号によりドアホン子器１の撮像部１１で撮像された画像が画像表示部２２に表示され、さらに、住戸人が操作部２６の通話釦（図示せず）を操作することで演算処理部２５が通話部２１を起動し、ドアホン子器１との間で信号送受信部２０並びに信号線Ｌ１を介して音声信号を授受することにより、住戸人と来訪者との通話が可能になる。ここで、画像表示部２２に画像が表示されている状態で操作部２６に設けられた録画釦（図示せず）が操作されると、演算処理部２５が映像信号をメモリ部２３に記録（録画）する。あるいは、操作部２６に設けられた留守録設定釦（図示せず）が操作されて留守録モードに設定されていれば、同様にドアホン子器１から送信される映像信号をメモリ部２３に記録（留守録）する。そして、メモリ部２３に記録した映像信号は、操作部２６に設けられた再生釦（図示せず）が操作されることで演算処理部２５により画像表示部２２に渡されて画像表示部２２で画像が表示（再生）される。なお、演算処理部２５は、メモリ部２３に記録した映像信号の１フレーム分の画像（静止画）を抽出してディジタルデータ（画像データ）に変換する機能を有しており、後述するように変換した画像データをデータ通信部２４よりインターネットを介してセンタサーバ３に送信する。ここで、ドアホン子器１の撮像部１１で撮像される画像には、通常、ドアホン子器１の呼出釦を操作した人物の顔画像（以下、人物画像と呼ぶ。）が含まれていると考えられるので、親機２からセンタサーバ３に送信される画像データは人物画像のデータである。
【００２４】
一方、センタサーバ３は、インターネットを介したデータ通信を行うデータ通信部３０と、ＣＰＵやメモリなどで構成されるデータ処理部３１と、ハードディスクのような大容量の記録媒体からなるデータ保存部３２とを備え、データ通信部３０で受信した画像データ（人物画像のデータ）がデータ処理部３１によってデータ保存部３２に保存される。ここで、各住戸に設置されている親機２にはそれぞれ固有の識別符号（例えば、１，２，…といった番号）が割り当てられ、親機２から送信される画像データには当該番号（以下、住戸番号と呼ぶ。）が自動的に付与されるため、個々の画像データが何れの住戸（親機２）から送信されたものであるかが判別できる。但し、住戸番号の代わりに、インターネットを利用したデータ通信を行うために各親機２に付与されているグローバルＩＰアドレスに基づいて個々の画像データの送信元を判別しても構わない。
【００２５】
また、データ処理部３１においては、顔認識アルゴリズムを利用した画像処理によってデータ保存部３２に保存されている複数の人物画像に写っている人物が同一人物か否かを判定する機能を有している。かかる顔認識アルゴリズムは従来より種々のものが提供されているが、基本的には人物画像の目、鼻、口、耳などの特徴部分を抽出するとともに抽出した特徴部分の一致度を判定するものであり、詳細については説明を省略する。
【００２６】
ここで、エミット（ＥＭＩＴ（Embedded Micro Internetworking Technology）)と称する機器組み込み型ネットワーク技術（機器に簡単にミドルウェアを組み込んでネットワークに接続できる機能を備えるネットワーク技術、以降、ＥＭＩＴ技術と称する。）を用いることで、携帯電話、ＰＣ（Personal Computer）、ＰＤＡ（Personal  Digital Assistant）、ＰＨＳ（Personal Handy phone System）等の外部端末（図示せず）から様々な設備機器（照明装置、空調装置、動力装置、センサ、電気錠、ウェブカメラ等、以降、ＥＭＩＴ端末と称する。）＜図示せず＞にアクセスして、ＥＭＩＴ端末を遠隔監視・制御することができる。尚、ＥＭＩＴ端末は、マイコン搭載の組み込み機器であり、機器組み込み型のネット接続用ミドルウェアでありＥＭＩＴ技術を実現するＥＭＩＴソフトウェアが搭載されている。本実施形態においては、親機２の演算処理部２５にＥＭＩＴソフトウェアを搭載することによって、センタサーバ３のデータ処理部３１で作成される様々なコンテンツ（ウェブページ）をインターネットを介して受信し画像表示部２２に表示できるようになっている。
【００２７】
次に、図２のフローチャートを参照して親機２の動作について説明する。
【００２８】
ドアホン子器１から信号線Ｌ１を介して送信された映像信号を信号送受信部２０で受信すると（Ｓ１）、受信した映像信号によりドアホン子器１の撮像部１１で撮像された画像を画像表示部２２で表示する（Ｓ２）。このとき、操作部２６の録画釦が操作されるか若しくは留守録モードに設定されていることで録画の指示が有れば（Ｓ３）、演算処理部２５は信号送受信部２０で受信した映像信号をメモリ部２３に記録（録画）し（Ｓ４）、さらに、メモリ部２３に記録した映像信号の１フレーム分の画像（静止画）を抽出してディジタルデータ（人物画像データ）に変換し、当該人物画像データに識別符号（画像番号）を付与してデータ通信部２４よりインターネットを介してセンタサーバ３に送信する（Ｓ５）。ここで、画像表示部２２に表示されている画像を見た住戸人が当該画像に写っている人物を不審者と考えて操作部２６に設けられた投票釦（図示せず）を操作すると、不審者候補投票受付手段たる操作部２６によって前記人物に対する不審者候補への投票が受け付けられ（Ｓ６）、操作部２６から不審者候補の投票を受け付けた旨の操作信号が演算処理部２５に出力される。演算処理部２５では、前記操作信号を受け取ると直前に送信した人物画像の画像番号と当該画像番号に対して不審者候補に投票されたことを示す通知（以下、投票通知と呼ぶ。）とをデータ通信部２４よりインターネットを介してセンタサーバ３に送信する（Ｓ７）。そして、録画の指示がないとき（Ｓ３）、不審者候補への投票が受け付けられなかったとき（Ｓ６）、画像番号と投票通知がセンタサーバ３に送信された（Ｓ７）のち、演算処理部２５は画像表示部２２による画像表示を終了する（Ｓ８）。
【００２９】
一方、メモリ部２３に記録されている画像に写っている人物がセンタサーバ３に不審者として登録されているか否かを住戸人が確認したい場合、当該人物が写っている画像が画像表示部２２に表示されている状態で操作部２６に設けられた確認要求釦（図示せず）を住戸人が操作すれば、操作部２６から演算処理部２５に対して確認要求を受け付けた旨の操作信号が出力される。演算処理部２５では、当該操作信号を受け取ると画像表示部２２に表示されている画像の画像番号とともに登録済みの不審者との照合結果を要求するコマンド（以下、照合要求コマンドと呼ぶ。）をデータ通信部２４よりインターネットを介してセンタサーバ３に送信する（Ｓ１１）。そして、センタサーバ３から返信される照合結果をデータ通信部２４で受信すれば、演算処理部２５は受け取った照合結果（確認要求の対象である人物画像が登録済みの不審者と一致又は不一致）を画像表示部２２に表示して処理を終了する（Ｓ１２）。
【００３０】
続いて、図３のフローチャートを参照してセンタサーバ３の動作を説明する。
【００３１】
何れかの親機２からインターネットを介して送信された人物画像データをデータ通信部３０で受信すると（Ｓ１）、データ処理部３１は受け取った人物画像データをデータ保存部３２に保存する（Ｓ２）。ここでデータ処理部３１は、図４に示すような人物画像管理テーブルによってデータ保存部３２に保存した人物画像を管理している。この人物画像管理テーブルは、各親機２に割り当てられている住戸番号と、親機２において付与された画像番号と、全ての人物画像に対してデータ処理部３１が割り当てるファイル名と、不審者候補への投票の有無と、不審者候補に投票された人物を識別するためにデータ処理部３１が割り当てる人物番号と、不審者への登録状況とを管理するためのものである。
【００３２】
さらにデータ処理部３１は、新たに人物画像管理テーブルに追加した人物画像に写っている人物と、人物画像管理テーブルにおいて不審者に登録されている人物（以下、登録済不審者と呼ぶ。）とを上述の顔認証アルゴリズムを使って照合し（Ｓ３）、一致する登録済不審者の有無を調べる（Ｓ４）。そして、一致する登録済不審者があれば、データ処理部３１は当該人物画像に付与された住戸番号、つまり、送信元の親機２に対して、送信してきた人物画像に写っている人物が登録住不審者である旨の注意を喚起するウェブページを作成してデータ通信部３０よりインターネットを介して当該親機２に送信する（Ｓ５）。なお、一致する登録済不審者がなければデータ処理部３１は処理を終了する。
【００３３】
一方、何れかの親機２からインターネットを介して送信された画像番号並びに投票通知をデータ通信部３０で受信すると（Ｓ６）、データ処理部３１は送信元の親機２の住戸番号及び画像番号によって特定される人物画像に対して人物画像管理テーブルに不審者候補への投票があった旨（図４においては「候補」の文字）を書き込む（Ｓ７）。またデータ処理部３１では、当該人物画像に写っている人物（新規の不審者候補）と既に不審者候補に投票されていた他の人物（既存の不審者候補）とを照合し（Ｓ８）、既存の不審者候補に同一人物がいれば当該不審者候補に割り当てられている人物番号と同一の人物番号を新規の不審者候補に割り当て、既存の不審者候補に同一人物がいなければ新たな人物番号を新規の不審者候補に割り当てる。さらにデータ処理部３１は、新規の不審者候補が追加された場合に所定の条件を満たす不審者候補の有無を調べ、当該条件を満たす不審者候補が有れば（Ｓ９）、人物画像管理テーブルにおける当該不審者候補の不審者の項目に「登録」と書き込むことで不審者に登録する（Ｓ１０）。なお、当該条件を満たす不審者候補がなければデータ処理部３１は処理を終了する。
【００３４】
ここで、不審者に登録するための前記条件としては、例えば、以下のような条件を挙げることができる。例えば、不審者候補への投票数が多いほど不審者である可能性が高いと考えられるので、一定数以上の投票があった人物を不審者に登録すればよい。あるいは、昼間ではなく夜中や朝方にばかり写っている人物や、留守中にばかり写っている人物は不審者の可能性が高いと考えられるので、撮像された時間が特定の時間帯（例えば、夜間）であるという条件、あるいは、撮像されたときに当該住戸が留守であったという条件を満足する場合に不審者に登録してもよい。なお、人物画像が撮像された時間や留守録か否かといった情報は、親機２の演算処理部２５が人物画像をセンタサーバ３に送信する際に併せて送信し、当該人物画像とともに人物画像管理テーブルで管理すればよい。さらに、実際の運用実績に基づいて不審者候補に投票される人物が不審者に登録される率が高いと思われる場合、若しくは不審者候補の投票数が極めて少ない場合などにおいては、不審者候補に投票された全ての人物を不審者として登録しても構わない。但し、不審者候補に投票された全ての人物を不審者として登録する際、登録済不審者を写した人物画像が複数存在する場合には、これら複数の人物画像の中から選択された一の人物画像を残して残りの人物画像をデータ保存部３２から削除することで同一人が重複して登録されるのを防ぐことができる。
【００３５】
一方、何れかの親機２からインターネットを介して送信された照合要求コマンドをデータ通信部３０で受信すると（Ｓ１１）、データ処理部３１は照合要求コマンドに含まれる送信元の住戸番号並びに画像番号によって特定される人物画像に写っている人物と登録済不審者とを顔認証アルゴリズムを使って照合し（Ｓ１２）、その照合結果を通知するためのウェブページを作成してデータ通信部３０よりインターネットを介して照合要求コマンドの送信元の親機２に送信する（Ｓ１３）。
【００３６】
上述のように本実施形態によれば、各住戸に設置されている複数の撮像装置（ドアホン子器１）で撮像され不審者候補が写っている人物画像を管理装置（センタサーバ３）で収集して不審者を登録しているので、撮像装置（ドアホン子器１）並びに住戸端末（親機２）が設置されている住戸を含む地域で不審者情報を共用することができる。しかも、複数の人物画像に写っている不審者候補が同一人物であるか否かを判定するとともに同一人物と判定された不審者候補を写した複数の人物画像が所定の条件を満足する場合に当該不審者候補を不審者として管理装置（センタサーバ３）において登録するので、不審者情報の信頼性を高めることができるという利点がある。なお、本実施形態においては、判定手段、登録手段、通知手段を全てセンタサーバ３のデータ処理部３１によって構成している。
【００３７】
また、本実施形態では撮像装置としてインターホンシステムにおけるドアホン子器１を例示したが、例えば、人感センサによって人の存在を検知したときに撮像する所謂センサカメラや、インターネットを介してセンタサーバ３に直接画像を送信する機能を有した所謂ウェブカメラを用いることができる。また、本実施形態では住戸端末である親機２の演算処理部２５にＥＭＩＴソフトウェアを搭載しているため、住戸人が所有する携帯電話機などの通信端末によって人物画像に対する不審者候補の投票や不審者の確認等を行うことも可能である。さらに、親機２が備える操作部２６として画像表示部２２の画面前面に配設されるタッチパネルを用いても構わない。
【図面の簡単な説明】
【００３８】
【図１】本発明の実施形態を示すシステム構成図である。
【図２】同上における親機（住戸端末）の動作を説明するためのフローチャートである。
【図３】同上におけるセンタサーバ（管理装置）の動作を説明するためのフローチャートである。
【図４】同上におけるセンタサーバ（管理装置）で管理する人物画像管理テーブルの説明図である。
【符号の説明】
【００３９】
１  ドアホン子器（撮像装置）
２  インターホン親機（住戸端末）
３  センタサーバ（管理装置）
１１  撮像部
２２  画像表示部
２３  メモリ部
２４  データ通信部
２５  演算処理部
３０  データ通信部
３１  データ処理部
３２  データ保存部
【図１】
2007172083.tif 000003
【図２】
2007172083.tif 000004
【図３】
2007172083.tif 000005
【図４】
2007172083.tif 000006